(57)【要約】【課題】足が不自由で長時間寝たままの状態で生活されている方々の足の機能回復と、寝たままの状態により発生する障害の介護を援助出来る簡単で使い易い介護用品を提供することを目的とする。【解決手段】足の機能回復の為に、仰向けに寝た状態で足を乗せた傾斜板の角度を時々任意の位置に変えてやる事で無意識の内に足首の関節と足全体の筋肉を動かしてあげる。、又足の感覚を取り戻す為に、寝ている状態で足裏と足の指先が硬い物や、柔かい物いろいろ異なった材質の物に触れることでその感触を楽しみ刺激を与えられるようにする。その他、かかとの床ずれ防止装置も取り付け、脱臭剤、乾燥剤と言った衛生用品も袋に入れて使用できるように、一つの介護用品で足の障害で困っている問題を幅広く解決できるように多機能を備える構成にした。【選択図】図６
2005103211.tif 000002
【特許請求の範囲】
【請求項１】
人が仰向けに寝ている状態で、両足の裏面全体を乗せることが出来る大きさの傾斜板と、その板の角度を変える事が出来る機能を持った骨組みの本体を組合せた足の介護用品。
【請求項２】
人が仰向けに寝ている状態で、足のかかと部の位置に、常時かかとの床ずれ防止用の摩擦が小さい材質の物が敷き込まれるように取り付けた床ずれ防止装置つき請求項１の足の介護用品。
【請求項３】
足を刺激する物や環境改善用品を袋に入れて、寝ている状態で足裏の位置に吊り下げて使用することが出来るようにした請求項１の足の介護用品。
【発明の詳細な説明】
【発明の詳細な説明】
【技術分野】
【０００１】  本発明は病気や障害又は高齢の為、足が不自由になり長時間寝たままの状態で生活されている方々が困っている問題点を解決する為の足の介護用品に関するものである。
【背景技術】
【０００２】  足の介護用品として市販されている物には、こたつ、足まくら、足踏み運動器、床ずれ防止用としてかかと用パット、クッション、ムートンのかかとあて等いろいろの物があるが、これらは、それぞれが一つの目的の為に使う単独製品であり、装着に手間がかかったり、使用中に位置がずれたりして使いずらい点がある。
【発明が解決しようとする課題】
【０００３】  足が不自由になれば自然と足を動かさないようになる上に、布団の重さで足が指先から圧迫されて自力では足を動かすのが困難となる、その為に足首や足の指が固まり、足全体の感覚も衰えて段々と症状が悪化してしまうと同時に床ずれ障害をおこしたり、布団の中に於ける保温、悪臭発生、湿気対策等と介護が必要となってくる。これらは一連の症状なので全てを同時に改善できる介護用品が望ましい。その為には一個の介護用品を使用することで、これら複数の問題を同時に解決出来るようにしようとするものである。
【課題を解決するための手段】
【０００４】  上記の目的を解決する為に本考案は、人が仰向けに寝た状態で両足の裏部全体が乗せることの出来る傾斜板を設け、その板を敷布団と垂直な角度から足とは反対側に４５度程度まで任意の位置で倒す事が出来る機能を持った骨組みの本体に取り付ける。任意の角度を設定して板の上に足を乗せれば、無理なく足首と足の指は板の角度と同じ角度を保とうとする事になり、時々角度の設定を変えてやれば、足首と指の関節が動く為に、一定角度での固まりは抑えられる事になる。又、それにつられて足の筋肉も動く事になるので足全体の機能回復が図られる。
【０００５】  骨組み本体の一部に、足のかかと部分の床ずれ防止対策として、摩擦の少ない材質の布や又は市販されている床ずれ防止材を取り付ける。取り付け位置は足裏を傾斜板に乗せた時にかかとがくる位置で、防止材は少し巾に余裕を持たせて設置する。取り付け方法は床ずれ防止材を頻繁に洗濯できるように脱着可能式にする。例えば床ずれ防止材の両端に接着テープを縫い付け、本体のかかと位置にくる低部骨組み２本に巻き込み接着テープで固定するなど。本体を使用している時は常にかかとが床ずれ防止材の上に位置することになる。
【０００６】  骨組み本体に組み込まれた傾斜板だけでは、足裏や足の指の感覚が何時も同じなので刺激が薄れてくるし、飽きてくる可能性がある。そこでその他いろいろ異なった材質の物の感触を味わう事が出来るように、傾斜板を取り付けた本体に袋を吊るすフックを取り付け、いろいろの材質例えば硬い物でヘチマ、柔らかな物でタオル、綿等といった好みの物を入れた袋を足裏と板の間に吊り下げて、足裏と足の指で触れる事により吊り下げた材質の感触を味わう事で足を刺激し足の感覚を取り戻すようになる。袋を吊る為のフックの取り付け位置は、足裏が直接触れる側の板面は避け板の裏面又は骨組み本体に取り付けるようにする。又吊り下げ袋はメッシュ袋を使用し網目が大きいほど材質の感触が得られるので足底と指の刺激にも効果大であり好ましい。
【０００７】  尚、足周辺の環境を良くする為に上記吊り下げ袋の中に、市販されている使い捨てカイロ、脱臭剤、乾燥剤等を入れれば保温、悪臭防止、湿気防止等の効果が得られる事になる。尚、吊り下げ袋の中にはタオルと使い捨てカイロの組合せ等複数の物を入れて使用することが可能である。
【０００８】  吊り下げ袋を使用するときは、傾斜板の角度を斜めに倒しておけば骨組み本体の安定が保たれ、足首も楽であり、かかと位置も床ずれ防止装置から離れる事はない。
【発明を実施するための最良の形態】
【０００９】  以下、本発明の実施の形態として一実施例を図１〜図６に基づいて説明する。【００１０】  図１は本体の組立図である。傾斜角度を変更できる機能を持った骨組み（本件実施例ではスライド式ストッパー方式で、ストッパー位置を変えることにより接続部の角度が変わるようになった機能）で、両足を乗せる傾斜板と、床ずれ防止用の材質を取り付け出来る構造の骨組み本体１に、裏面に吊り下げ袋を吊るす為のフックを取り付けたフック付き傾斜板２と接着テープ付き床ずれ防止材３と滑り止め材４を取り付ける。【００１１】  図２は本体が組み立てられた組立本体の完成図である。【００１２】  図３は組立本体と吊り下げ袋の組合せ図である。吊るして使うメッシュ袋５に硬いへちまや、柔らかなタオル等足裏と足の指で感触を味わう為の材質の物や使い捨てカイロ、消臭剤、乾燥剤等の環境改善用品等を、好みに応じて入れた上、組立本体に吊るして使用する物である。【００１３】  図４はメッシュ袋に物を入れて組立本体に吊り下げた組合せ完成の状態図である。傾斜板の裏側に取り付けられたフックに吊るし板の角度を緩めた上、傾斜板の表側（足裏が接する側）に上から吊るすようにする。【００１４】  図５は組立本体のみで使用する時の図である。傾斜板の上に足を乗せて廊下の感触を味わうと共に時々傾斜板の角度を垂直にしたり任意の角度に倒した状態にして足首の関節や足の筋肉を動かしてやる。【００１５】  図６は吊り下げ袋に物を入れて本体に吊るした組合せ使用の図である。使用方法としては、傾斜板の角度を垂直ではなくある程度斜めに倒してやれば足も楽であるし、かかと位置も組立本体のみを使っている時と同じ場所になり、床ずれ防止装置から離れる事もない。
【発明の効果】
【００１６】  この一つの介護用品を使用するだけで、上布団の重さによる足への圧迫感を低減し、足首の角度を変え足裏と足の指に刺激を与える事により衰えている足の機能回復と鈍くなっている足の感覚を取り戻し間接的に脳の活性化も図る事が出来る。又、かかとの床ずれ、足周辺の環境等を同時に改善する事が出来る。
【００１７】  この介護用品は、ただ足元に置くだけであり、面倒な足への装着、床ずれ防止材等の位置ずれ修正の必要がなく、保温、悪臭、湿気に対する介護者側の手間も低減される事になる。
【図面の簡単な説明】
【００１８】
【図１】本体の組立図
【図２】本体組立完成図
【図３】組立本体と吊り下げ袋の組合せ図
【図４】組立本体と吊り下げ袋の組合せ完成図
【図５】組立本体のみでの使用図
【図６】物を入れた吊り下げ袋と組立本体の組合せ使用図
【符号の説明】
１  骨組み本体
２  フック付き傾斜板
３  接着テープ付き床ずれ防止材
４  滑り止め材
５  吊り下げメッシュ袋
６  吊り下げメッシュ袋に入れる物
【図１】
2005103211.tif 000003
【図３】
2005103211.tif 000004
【図５】
2005103211.tif 000005
【図６】
2005103211.tif 000006
【手続補正書】
【提出日】平成15年12月10日(2003.12.10)
【手続補正１】
【補正対象書類名】図面
【補正対象項目名】全図
【補正方法】変更
【補正の内容】
【図１】
2005103211.tif 000007
【図２】
2005103211.tif 000008
【図３】
2005103211.tif 000009
【図４】
2005103211.tif 000010
【図５】
2005103211.tif 000011
【図６】
2005103211.tif 000012